(57)【要約】【課題】アダプタ取付枠に設けたホルダ駒部材で保持した状態で全てのケーブルを引き出し可能にするとともに、前記アダプタ取付枠のタップ板に前記ホルダ駒部材をネジ止め固定する際に当該ホルダ駒部材がタップ板上で回転してしまうのを未然に防止できるようにし、且つパネル本体の両端部側でケーブルの保持が可能なパッチパネルを提供する。【解決手段】パネル本体２の両サイドから後方へ向けて突設したパネル側フレーム４の後端側にて横架した後部支持板５と、複数のアダプタ取付枠１に実装された各アダプタＱに接続されているプラグのケーブルＫを束ねて保持するよう後部支持板５の両端側に設けられたパネル側ケーブル保持部６と、各アダプタ取付枠１の両サイドから後方へ向けて突設した取付枠側フレーム７の後端側にて横架した取付枠側ケーブル保持部８とを備えて構成する。【選択図】図１
2019117299.tif 000002
【特許請求の範囲】
【請求項１】
光通信用のＳＣアダプタやＬＣアダプタを含む各種のアダプタを複数のポートに実装する複数のアダプタ取付枠をパネル本体の前面側から複数の窓孔を介して挿着可能に形成したパッチパネルであって、前記パネル本体の両サイドから後方へ向けて突設したパネル側フレームの後端側にて横架した後部支持板と、前記複数のアダプタ取付枠に実装された各アダプタに接続されているプラグのケーブルを束ねて保持するよう前記後部支持板の両端側に設けられたパネル側ケーブル保持部と、前記各アダプタ取付枠の両サイドから後方へ向けて突設した取付枠側フレームの後端側に横架した取付枠側ケーブル保持部とを備えたことを特徴とするパッチパネル。
【請求項２】
前記パネル側ケーブル保持部は、複数のポートに対応した全てのケーブルを結束した結束バンドを引っ掛けて保持するよう平面視略Ｔ字状の突起部分を残して切欠した係架溝によって形成されてなることを特徴とする請求項１記載のパッチパネル。
【請求項３】
前記係架溝は、前記結束したケーブルをパネル側ケーブル保持部の後方側又は側方側のいずれかに引き出されるよう前記平面視略Ｔ字状の突起部分が前方及び側方に向けられた状態となって形成されてなることを特徴とする請求項２記載のパッチパネル。
【請求項４】
前記パネル側ケーブル保持部は、複数のポートに対応した全てのケーブルを結束した結束バンドを引っ掛けて保持するよう前方及び側方に互いに９０度の角度で向けられた状態となって配置された環状突起によって形成されてなることを特徴とする請求項１記載のパッチパネル。
【請求項５】
前記パネル側フレームには、前記後部支持板の取付位置を前後にスライドしてケーブルの曲げ位置が変えられるように固定可能としたスライド調整用長孔を備えたことを特徴とする請求項１記載のパッチパネル。
【請求項６】
前記スライド調整用長孔には、ネジを係止させるための複数の係止溝が形成されており、前記後部支持板をスライド調整用長孔に沿ってスライドさせ、後部支持板の端部に形成されたネジ孔を複数の係止溝のいずれかに宛がってから当該係止溝から前記ネジ孔に向けてネジを捻じ込み固定するものとしたことを特徴とする請求項５記載のパッチパネル。
【請求項７】
前記取付枠側ケーブル保持部は、前記取付枠側フレームの後端側にて横架したタップ板と、ケーブルをタップ板に固定する複数のホルダ駒部材とからなり、各ホルダ駒部材には、当該ホルダ駒部材がタップ板に係止されて回転が防止されるよう回転防止突起を備えたことを特徴とする請求項１記載のパッチパネル。
【請求項８】
前記ホルダ駒部材は、その上面にタップ板に捻じ込むネジを挿入するためのネジ挿通孔が貫設され、ホルダ駒部材の下面には複数のケーブルを上方側から保持するための下向き円弧状の複数のケーブル押圧溝が形成されてなることを特徴とする請求項７記載のパッチパネル。
【請求項９】
前記アダプタ取付枠は、６ポート仕様のポート枠であり、６ポートのケーブル毎、パネル本体から前面に引出せる収脱構造となっていることを特徴とする請求項１記載のパッチパネル。
【発明の詳細な説明】
【技術分野】
【０００１】
本発明は、情報配線システムにおいて、光通信用のＳＣアダプタやＬＣアダプタ等を含む各種のアダプタを実装するパッチパネルに関するものである。
【背景技術】
【０００２】
従来、オフィスや工場等において、音声信号、ＬＡＮ等のディジタル信号、画像信号といった様々な情報を伝達するために、ツイストペアケーブルを用いた情報配線システムが広く用いられている。このような情報配線システムでは、オフィスのレイアウト変更等の理由により情報配線の変更が必要となる場合に備えて、パッチパネルと称するネットワークの配線作業を支援するための中継端子盤が用いられている。
【０００３】
具体的には、特許文献１に示す電話用のモジュラアダプタを実装するパッチパネルが公知である。このパッチパネルは、モジュラプラグが着脱自在に接続される６個のモジュラアダプタを一列に並べて保持する取付枠を４個の一列に並べて（モジュラアダプタが合計２４個）パネル本体に取り付けられ、このパネル本体はラック等の被固定部位に上下段に取り付けられることで構成されている。
【０００４】
このパネル本体の下縁からは背面側に突出する略コ字状の電線固定片がパネル本体と連続一体に形成されている。電線固定片は、中央片と、その両端部をそれぞれパネル本体に連結する連結片とで構成され、中央片及び連結片にはモジュラジャックに結線された電線を結束するための結束バンドを挿通する挿通孔が中央片及び連結片に夫々穿設され、所望の方向にケーブルを引き出すことができるようになっている。
【０００５】
また、従来では、図１６に示すように、アダプタＱを６ポート毎に適宜組み合わせて合計２４個となって実装したアダプタ取付枠１０１をパネル本体１０２の前面側から挿着可能にしてなるパッチパネルＰを形成し、パネル本体１０２の背面両端側から後方に向けて突設したサイドフレーム１０４の後端側にて横架したタップ板１０５に、２本のケーブルＫを１組として各固定する複数のホルダ駒部材１０６を設けている。
【先行技術文献】
【特許文献】
【０００６】
【特許文献１】特許第３４８２９０７号公報
【発明の概要】
【発明が解決しようとする課題】
【０００７】
しかしながら、前記した特許文献１による取付枠は、電話用モジュラアダプタの６ポート（６個）を一度にまとめてパネルに取り付けるためのものであり、情報配線システムにおける電気又は光通信用のＳＣアダプタやＬＣアダプタを取り付けるものではない。
【０００８】
また、前記した特許文献１では、パネル本体の電線固定片の中央片においては、モジュラジャックに結線された電線を結束するための結束バンドを挿通する複数の挿通孔が等間隔となって穿設されているため、全ての電線の曲げ位置を適宜変えつつ電線固定片の両端部側からまとめて引き出すことができないことから、パネル本体の後部側において簾状の如く等間隔毎に垂れ下がった電線同士が乱雑に交叉して互いに絡まってしまい、例えばオフィスのレイアウト変更等の理由による情報配線の変更や保守作業等が非常に煩雑なものとなる虞がある。
【０００９】
さらに、図１６に示す従来のパッチパネルＰでは、サイドフレーム１０４の後端側にて横架したタップ板１０５に対する回転防止用の突起がホルダ駒部材１０６には無いため、２本１組のケーブルＫを保持するホルダ駒部材１０６をタップ板１０５に固定する際に当該ホルダ駒部材１０６がタップ板１０５上で回転し、ケーブルＫ自体に過度な張力や屈曲を生じることにより、通信機能にダメージを与えてしまう虞があるとともに、前記ホルダ駒部材１０６がタップ板１０５上でバラバラに向いてしまうため、ケーブルＫのセット作業に手間と時間が掛かってしまうという問題点がある。
【００１０】
しかも、図１６に示す従来のパッチパネルＰでは、タップ板１０５の後方側には、ケーブルＫを結束バンドで束ねて保持する部分が無いため、タップ板１０５の後部から簾状の如く垂れ下がったケーブルＫ同士が乱雑に交叉して互いに絡まってしまう虞がある。
【００１１】
そこで、本発明は、叙上のような従来存した諸事情に鑑み案出されたもので、複数のアダプタ取付枠に実装された各アダプタに接続されているプラグの全てのケーブルの曲げ位置を適宜変えつつパネル本体の両端部側で保持した状態で全てのケーブルを引き出し結束バンドで束ねることでパネル本体の後部側においてケーブル同士が乱雑に交叉して互いに絡まってしまうのを未然に防止でき、またアダプタ取付枠のタップ板にケーブルを保持するホルダ駒部材を固定する際に当該ホルダ駒部材がタップ板上で回転し、ケーブル自体に過度な張力や屈曲を生じてしまうのを未然に防止できるとともに、ケーブルのセット作業を効率的に行えるようにしたパッチパネルを提供することを目的とする。
【課題を解決するための手段】
【００１２】
上述した課題を解決するために、本発明にあっては、光通信用のＳＣアダプタやＬＣアダプタを含む各種のアダプタを複数のポートに実装する複数のアダプタ取付枠をパネル本体の前面側から複数の窓孔を介して挿着可能に形成したパッチパネルであって、前記パネル本体の両サイドから後方へ向けて突設したパネル側フレームの後端側にて横架した後部支持板と、前記複数のアダプタ取付枠に実装された各アダプタに接続されているプラグのケーブルを束ねて保持するよう前記後部支持板の両端側に設けられたパネル側ケーブル保持部と、前記各アダプタ取付枠の両サイドから後方へ向けて突設した取付枠側フレームの後端側に横架した取付枠側ケーブル保持部とを備えたことを特徴とする。
【００１３】
前記パネル側ケーブル保持部は、複数のポートに対応した全てのケーブルを結束した結束バンドを引っ掛けて保持するよう平面視略Ｔ字状の突起部分を残して切欠した係架溝によって形成されてなることを特徴とする。
【００１４】
前記係架溝は、前記結束したケーブルをパネル側ケーブル保持部の後方側又は側方側のいずれかに引き出されるよう前記平面視略Ｔ字状の突起部分が前方及び側方に向けられた状態となって形成されてなることを特徴とする。
【００１５】
前記パネル側ケーブル保持部は、複数のポートに対応した全てのケーブルを結束した結束バンドを引っ掛けて保持するよう前方及び側方に互いに９０度の角度で向けられた状態となって配置された環状突起によって形成されてなることを特徴とする。
【００１６】
前記パネル側フレームには、前記後部支持板の取付位置を前後にスライドしてケーブルの曲げ位置が変えられるように固定可能としたスライド調整用長孔を備えたことを特徴とする。
【００１７】
前記スライド調整用長孔には、ネジを係止させるための複数の係止溝が形成されており、前記後部支持板をスライド調整用長孔に沿ってスライドさせ、後部支持板の端部に形成されたネジ孔を複数の係止溝のいずれかに宛がってから当該係止溝から前記ネジ孔に向けてネジを捻じ込み固定するものとしたことを特徴とする。
【００１８】
前記取付枠側ケーブル保持部は、前記取付枠側フレームの後端側にて横架したタップ板と、ケーブルをタップ板に固定する複数のホルダ駒部材とからなり、各ホルダ駒部材には、当該ホルダ駒部材がタップ板に係止されて回転が防止されるよう回転防止突起を備えたことを特徴とする。
【００１９】
前記ホルダ駒部材は、その上面にタップ板に捻じ込むネジを挿入するためのネジ挿通孔が貫設され、ホルダ駒部材の下面には複数のケーブルを上方側から保持するための下向き円弧状の複数のケーブル押圧溝が形成されてなることを特徴とする。
【００２０】
前記アダプタ取付枠は、６ポート仕様のポート枠であり、６ポートのケーブル毎、パネル本体から前面に引出せる収脱構造となっていることを特徴とする。
【発明の効果】
【００２１】
本発明によれば、複数のアダプタ取付枠に実装された各アダプタに接続されているプラグの全てのケーブルの曲げ位置を適宜変えつつパネル本体の両端部側で保持した状態で全てのケーブルを引き出し結束バンドで束ねることでパネル本体の後部側においてケーブル同士が乱雑に交叉して互いに絡まってしまうのを未然に防止でき、またアダプタ取付枠のタップ板にケーブルを保持するホルダ駒部材を固定する際に当該ホルダ駒部材がタップ板上で回転し、ケーブル自体に過度な張力や屈曲を生じてしまうのを未然に防止できるとともに、ケーブルのセット作業が効率的に行える。
【００２２】
すなわち、本発明にあっては、光通信用のＳＣアダプタやＬＣアダプタを含む各種のアダプタを複数のポートに実装する複数のアダプタ取付枠をパネル本体の前面側から複数の窓孔を介して挿着可能に形成したパッチパネルであって、前記パネル本体の両サイドから後方へ向けて突設したパネル側フレームの後端側にて横架した後部支持板と、前記複数のアダプタ取付枠に実装された各アダプタに接続されているプラグのケーブルを束ねて保持するよう前記後部支持板の両端側に設けられたパネル側ケーブル保持部と、前記各アダプタ取付枠の両サイドから後方へ向けて突設した取付枠側フレームの後端側にて横架した取付枠側ケーブル保持部とを備えたので、パネル側ケーブル保持部は、パネル本体の後部側においてケーブル同士が乱雑に交叉して互いに絡まってしまうのを未然に防止でき、また取付枠側ケーブル保持部のホルダ駒部材がタップ板上で回転することによるケーブル自体の過度な張力や屈曲の発生を未然に防止することができる。
【００２３】
前記パネル側ケーブル保持部は、複数のポートに対応した全てのケーブルを結束した結束バンドを引っ掛けて保持するよう平面視略Ｔ字状の突起部分を残して切欠した係架溝によって形成されてなるので、パネル側ケーブル保持部の係架溝に、全てのケーブルを結束した結束バンドを引っ掛けることで、全てのケーブルをまとめて引き出すことができ、パネル本体の後部側においてケーブル同士が乱雑に交叉して互いに絡まってしまうのを確実に防止することができるとともに、ケーブルのセット作業を効率的に行える。
【００２４】
前記係架溝は、前記結束したケーブルをパネル側ケーブル保持部の後方側又は側方側のいずれかに引き出されるよう前記平面視略Ｔ字状の突起部分が前方及び側方に向けられた状態となって形成されてなるので、パネル側ケーブル保持部から後方又は側方へケーブルをまとめて容易に引き出すことができる。
【００２５】
前記パネル側ケーブル保持部は、複数のポートに対応した全てのケーブルを結束した結束バンドを引っ掛けて保持するよう前方及び側方に互いに９０度の角度で向けられた状態となって配置された環状突起によって形成されてなるので、結束バンドを介しての全てのケーブルの保持がいっそう確実に行える。
【００２６】
前記パネル側フレームには、前記後部支持板の取付位置を前後にスライドしてケーブルの曲げ位置が変えられるよう固定可能なスライド調整用長孔を備えたので、スライド調整用長孔に沿って後部支持板の取付位置を変えることで、全てのケーブルの曲げ位置を容易に変えることができ、後部支持板の両端側に設けられたパネル側ケーブル保持部への前記結束バンドの取り付けが、他の上段あるいは下段に位置するケーブルに邪魔されることなく容易に行える。
【００２７】
前記スライド調整用長孔には、ネジを係止させるための複数の係止溝が形成されており、前記後部支持板をスライド調整用長孔に沿ってスライドさせ、後部支持板の端部に形成されたネジ孔を複数の係止溝のいずれかに宛がってから係止溝からネジ孔に向けてネジを捻じ込み固定するものとしたので、スライド調整用長孔に沿っての後部支持板の取付位置を複数段階（例えば３段階等）で変えることが可能となり、ケーブルに対する結束バンドによる結束作業が支障となることがないように後部支持板を最適位置に設置することができる。
【００２８】
前記取付枠側ケーブル保持部は、前記取付枠側フレームの後端側にて横架したタップ板と、ケーブルをタップ板に固定する複数のホルダ駒部材とからなり、各ホルダ駒部材には、当該ホルダ駒部材がタップ板に係止されて回転が防止されるよう回転防止突起を備えたので、アダプタ取付枠のタップ板にケーブルを保持するホルダ駒部材をネジ止め固定する際に当該ホルダ駒部材がタップ板上で回転してしまうのを未然に防止でき、これによりケーブル自体に過度な張力や屈曲を生じてしまうのを確実に防止することができるとともにケーブルのセット作業が効率よく行える。
【００２９】
前記ホルダ駒部材は、その上面にタップ板に捻じ込むネジを挿入するためのネジ挿通孔が貫設され、ホルダ駒部材の下面には複数のケーブルを上方側から保持するための下向き円弧状の複数のケーブル押圧溝が形成されてなるので、タップ板に対するケーブルの固定が容易で且つ確実に行える。
【００３０】
前記アダプタ取付枠は、６ポート仕様のポート枠であり、６ポートのケーブル毎、パネル本体から前面に引出せる収脱構造としたので、例えばオフィスのレイアウト変更等の理由による情報配線の変更や保守作業等がスムーズに行える。
【図面の簡単な説明】
【００３１】
【図１】本発明を実施するための一形態におけるパッチパネルの全体構成を示す斜視図である。
【図２】同じくパッチパネルの平面図である。
【図３】本発明のパッチパネルを構成するパネル本体の平面図である。
【図４】同じくパネル本体を示し、（ａ）は正面図、（ｂ）は背面図、（ｃ）は右側面図である。
【図５】同じくパネル本体の斜視図である。
【図６】パネル本体のパネル側フレームのスライド調整用長孔に沿って後部支持板の取付位置を３段階に変える状態を説明する平面図である。
【図７】取付枠側ケーブル保持部のタップ板に取り付けられるホルダ駒部材の一例を示すもので、（ａ）は背面図、（ｂ）は平面図、（ｃ）は正面図、（ｄ）は底面図、（ｅ）は右側面図、（ｆ）は左側面図である。
【図８】本発明のパッチパネルを構成するアダプタ取付枠を示し、（ａ）は平面図、（ｂ）は底面図である。
【図９】同じくアダプタ取付枠を示し、（ａ）はアダプタを装着しない状態の正面図、（ｂ）はアダプタを装着した状態の背面図、（ｃ）はアダプタを装着した状態の右側面図である。
【図１０】アダプタを装着しない状態のアダプタ取付枠を示す斜視図である。
【図１１】同じくアダプタを装着しない状態のアダプタ取付枠を示すもので、（ａ）は平面図、（ｂ）は底面図である。
【図１２】取付枠側ケーブル保持部のタップ板に１個のホルダ駒部材が取り付けられた状態を示し、（ａ）は正面図、（ｂ）は背面図、（ｃ）は右側面図、（ｄ）は図１１（ａ）のＡ−Ａ断面図である。
【図１３】パネル側ケーブル保持部の係架溝にケーブルの結束バンドを取り付けて、結束したケーブルをパネル側ケーブル保持部の後方側及び側方側へ引出した状態の平面図である。
【図１４】パネル側ケーブル保持部の環状突起にケーブルの結束バンドを取り付けた変形例の要部を示すもので、（ａ）は結束したケーブルをパネル側ケーブル保持部の後方側及び側方側へ引き出した状態の平面図、（ｂ）は環状突起の要部を示す正面図である。
【図１５】本発明のパッチパネルをラック等の被固定部位に多段状態（３段）取り付けられた状態を概略的に示す右側面図である。
【図１６】従来例におけるパッチパネルの全体構成を示す斜視図である。
【発明を実施するための形態】
【００３２】
以下、図面を参照して本発明に係るパッチパネルの実施の一形態を詳細に説明する。
＜パッチパネルの外観構成＞
本実施形態におけるパッチパネルは、図１および図８に示すように、プラグＲが着脱自在に接続される光通信用のＬＣアダプタやＳＣアダプタ等を含む各種のアダプタＱを６ポートとなって前面に露出した状態で保持する例えば４個のアダプタ取付枠１を備えている。
【００３３】
これらアダプタ取付枠１を横一列に並べ、アダプタＱに差し込まれるプラグＲの接続ポートが合計２４個となるようにパネル本体２の横長矩形状の４個の窓孔３それぞれに取り付けられる。このようにアダプタ取付枠１は、６ポート仕様のポート枠であり、６ポートのケーブルＫ毎、パネル本体２から前面に引出せる収脱構造となっている。尚、このパネル本体２は後述する図１５に示すように、ラックＬ等の被固定部位ＬＡに例えば上下３段となって取り付けられる。
【００３４】
＜パネル本体の構成＞
前記パネル本体２は、図１乃至図６に示すように、その前面が略矩形状でその両サイドから後方へ向けてパネル側フレーム４が各突設されていることで平面視略コ字形枠状に形成されている。また、前記したように、このパネル本体２の前面には長さ方向に沿って横長矩形状の４個の窓孔３が並設され、各窓孔３は、後述する例えば６ポート仕様のアダプタ取付枠１が横一列となった状態で塞がれる。さらに、パネル本体２の前面の長手方向における両端部は、当該パネル本体２をラックＬ等の被固定部位ＬＡに固定するための取付ネジ（図示せず）を挿通する一対の取付用長孔２Ｂがそれぞれ穿設された支持板部２Ａとなっている。
【００３５】
図１、図４（ｃ）、図５、図１５に示すように、前記パネル本体２のパネル側フレーム４には、後部支持板５が前後スライド可能となって横架されている。すなわち、このパネル側フレーム４の後端側には、前記後部支持板５の取付位置を前後にスライドしてネジＮで固定可能としたスライド調整用長孔１０が形成してある。
【００３６】
前記スライド調整用長孔１０には、その両端と途中の等間隔２箇所との合計４箇所にネジＮを係止させるための円弧状の係止溝１０Ａが下向きに形成されており、前記後部支持板５を適宜前後にスライドさせ、その両端に形成された前後一対のネジ孔（図示せず）を各係止溝１０Ａのいずれか２つに宛がってから当該係止溝１０Ａからネジ孔に向けてネジＮが捻じ込まれて固定される。
【００３７】
而して、図６に示すように、前記後部支持板５をパネル側フレーム４のスライド調整用長孔１０に沿って前後位置が例えば３段階（係止溝１０Ａが等間隔に合計４個を設けた場合）に調整でき、当該後部支持板５の取付位置の前後スライド調整にてケーブルＫの曲げ位置が複数段変えられるものとなっている。なお、本発明は、図示例の如く３段階固定に限定されることはなく、パネル側フレーム４の長さに応じて、４段階固定またはそれ以上であっても良い。
【００３８】
図１、図３、図５、図６に示すように、前記後部支持板５の両端側には、前記複数のアダプタ取付枠１に実装された各アダプタＱに接続されているプラグＲのケーブルＫを束ねた結束バンドＶを保持するためのパネル側ケーブル保持部６が形成されている。このパネル側ケーブル保持部６は、平面視略Ｔ字状の突起部分を残して切欠した係架溝９によって形成され、複数のポートに対応した全てのケーブルＫを結束した結束バンドＶを引っ掛けて保持するものとなっている。
【００３９】
また、図１、図３、図５、図６に示すように、前記係架溝９は、前記平面視略Ｔ字状の突起部分が前方及び側方に互いに９０度の角度で向けられた状態となって連設して形成され、前記結束したケーブルＫをパネル側ケーブル保持部６の後方側又は側方側のいずれかの方向に引き出せるようにしている（図２、図１３参照）。
【００４０】
＜アダプタ取付枠の構成＞
図１、図２、図８、図９、図１０、図１１、図１２に示すように、前記アダプタ取付枠１は、その両サイドから後方へ向けて取付枠側フレーム７が突設されていることで平面視略コ字形枠状に形成されている。この取付枠側フレーム７の後端側には、後述するホルダ駒部材１２によって一対のケーブルＫを過度な張力や屈曲を生じせずに確実に直線状となって保持するための取付枠側ケーブル保持部８が横架されている。
【００４１】
具体的には、前記取付枠側ケーブル保持部８は、前記取付枠側フレーム７の後端側にて横架したタップ板１１と、２本のケーブルＫを１組としてタップ板１１に各固定するための複数のホルダ駒部材１２とからなる。
【００４２】
すなわち、これらホルダ駒部材１２は、図７（ａ）〜図７（ｆ）に示すように、略矩形ブロック状に形成され、その下面には複数（図示では左右一対）のケーブルＫを上方側から保持するための下向き円弧状の複数（図示では左右一対）のケーブル押圧溝１５ａ、１５ｂが形成されている。
【００４３】
また、前記各ホルダ駒部材１２の上面中央には、ネジＮを挿入するネジ挿通孔１４が貫設されており、該ネジ挿通孔１４を前記タップ板１１のネジ孔（ネジ溝）に宛がってネジ挿通孔１４からネジＮを捻じ込むことでタップ板１１に各ホルダ駒部材１２が固定されるものとなっている。
【００４４】
さらに、前記各ホルダ駒部材１２の前側面中央（後側面中央でも可）には回転防止突起１３が当該ホルダ駒部材１２の下面より下方に若干突出した状態となって付設されており、例えば２本１組のケーブルＫを保持した状態でホルダ駒部材１２をタップ板１１にネジ止め固定する際に当該ホルダ駒部材１２の下方突出部１３ａがタップ板１１前端に係止され、これによって前記ホルダ駒部材１２がタップ板１１上で回転してしまうのを防止している（図８参照）。
【００４５】
＜パネル本体に対するアダプタ取付枠の脱着構造＞
複数のアダプタ取付枠１は、パネル本体２の前面側から複数の窓孔３を介して挿入される。図１、図８（ｂ）、図９（ａ）、図９（ｂ）、図１０、図１１（ｂ）、図１２（ａ）、図１２（ａ）、図１２（ｂ）に示すように、前記アダプタ取付枠１の下縁端中央には、手指の例えば親指腹部側を上方に向けて若干差し込めることができる程度、あるいはマイナスドライバ等の工具を差し込める程度の縦横幅に十分な広さを有する略台形状の切欠部１６が形成されている。
【００４６】
そして、図８（ｂ）、図９（ａ）、図９（ｂ）、図１１（ｂ）、図１２（ａ）、図１２（ｂ）に示すように、前記アダプタ取付枠１の下縁端内側には、切欠部１６の内側を跨ぐようにして、弾性を有する横長板状の被係止部１７が、その両端がアダプタ取付枠１に固定された状態で横架されている。
【００４７】
さらに、前記被係止部１７の下面には係止爪（図示省略）が形成されており、パネル本体２の各窓孔３の下側開口縁に当該係止爪を当接させた状態で前記アダプタ取付枠１の下部を押し込むことで、前記被係止部１７の中央部が上方に撓曲しつつ各窓孔３の下側開口縁に各係止爪が係止するものとしてある。
【００４８】
また、前記アダプタ取付枠１の下縁中央に形成された切欠部１６を介して前記被係止部１７の中央部を手指の例えば親指腹部側で上方に撓ませるか、あるいは前記切欠部１６にマイナスドライバ等の工具Ｄを差し込んで被係止部１７の中央部を上方に撓ませるか、等することでパネル本体２の窓孔３の下側開口縁による係止爪の係止が解除され、当該窓孔３からアダプタ取付枠１を取り外せる収脱構造としてある。
【００４９】
＜パネル側ケーブル保持部の変形例＞
図１４は、ケーブルＫの結束バンドＶを保持するための前記したパネル側ケーブル保持部６の変形例を示すものである。本変形例では、上記した平面視略Ｔ字状の突起部分を残して切欠した係架溝９に替わって、環状突起１８によるパネル側ケーブル保持部６を形成している。これら環状突起１８の孔部分は、前方及び側方に互いに９０度の角度で向けられた状態となって配置され、複数のケーブルＫを結束した結束バンドＶをいずれか一方の環状突起１８に巻回させて、パネル側ケーブル保持部６の後方側又は側方側のいずれかの方向に引き出せるようにしてある。
【００５０】
次に、以上のように構成された形態についてのパッチパネルの使用の一例について説明する。
まず、図１に示すように、前記アダプタ取付枠１の後方に延びる矩形筒状の開口枠に後方側からアダプタＱを挿入し、アダプタ取付枠１の前面にアダプタＱの差込口が露出した状態となるようにする。同時に、プラグＲをアダプタＱ後方の嵌合部に装着する。
【００５１】
前記ホルダ駒部材１２下面のケーブル押圧溝１５ａ、１５ｂに左右一対のケーブルＫを各嵌合し、そのネジ挿通孔１４をタップ板１１のネジ孔（ネジ溝）に宛がって当該ネジ挿通孔１４からネジＮを捻じ込むことで、左右一対のケーブルＫは挟持された状態となって前記タップ板１１に前記ホルダ駒部材１２が固定される。このとき、前記ホルダ駒部材１２の前側面中央（後側面中央でも可）の回転防止突起１３がタップ板１１の前縁に係止され、ホルダ駒部材１２はタップ板１１上での回転が阻止された状態となる。
【００５２】
前記パネル本体２の窓孔３の下側開口縁にアダプタ取付枠１の下部を押し込めば、前記被係止部１７の中央部が上方に撓曲されて窓孔３の下側開口縁に係止爪が係止される。次いで、前記パネル本体２の窓孔３の上側開口縁に前記アダプタ取付枠１の上部を係止させることによって当該アダプタ取付枠１は前記パネル本体２の窓孔３に装着され、各窓孔３は例えば６ポート仕様の４個のアダプタ取付枠１が横一列となった状態で塞がれる。
【００５３】
図２に示すように、前記後部支持板５をパネル側フレーム４のスライド調整用長孔１０に沿って適宜前後方向にスライドさせ、当該後部支持板５の両端に形成された前後一対のネジ孔（図示せず）を前記スライド調整用長孔１０の係止溝１０Ａのいずれか２つに宛がってから係止溝１０Ａからネジ孔に向けてネジＮが捻じ込み固定する。このとき、図６に示すように、前記後部支持板５を前記パネル側フレーム４のスライド調整用長孔１０に沿って前後位置が複数段階（図示では３段階）に調整でき、当該後部支持板５の取付位置の前後スライド調整にてケーブルＫの前後曲げ位置が任意に変えられる。
【００５４】
次いで、図２、図１３に示すように、前記パネル側ケーブル保持部６の係架溝９に、複数のポートに対応した全てのケーブルＫを結束した結束バンドＶを引っ掛けて保持する。このとき、図６及び図１３に示すように、前記係架溝９は、前記平面視略Ｔ字状の突起部分が前方及び側方に互いに９０度の角度で向けられた状態となって形成されていることから、前記結束したケーブルＫをパネル側ケーブル保持部６の後方側又は側方側のいずれかの方向に引き出せるものとなる。
【００５５】
例えば、図２に示すように、６ポート枠による左側２個のアダプタ取付枠１から後方に引き出されている合計１２本のケーブルＫは結束バンドＶで束ねられ、左側のパネル側ケーブル保持部６の平面視略Ｔ字状の突起部分が前方に向いている係架溝９に結束バンドＶを引っ掛けることによってケーブルＫの束は後方側に引き出される。
【００５６】
また、図２に示すように、６ポート枠による右側２個のアダプタ取付枠１から後方に引き出されている合計１２本のケーブルＫは結束バンドＶで束ねられ、右側のパネル側ケーブル保持部６の平面視略Ｔ字状の突起部分が側方に向いている係架溝９に結束バンドＶを引っ掛けることによってケーブルＫの束は側方側に引き出される。
【００５７】
なお、上記した環状突起１８による変形例の場合も上記本実施形態と同様の作用効果がある。
【００５８】
図１５に示すように、上記構成によるパッチパネルＰは、上記した支持板部２Ａの取付用長孔２Ｂを介して、ラックＬ等の被固定部位ＬＡにネジＮを捻じ込み固定させる等により複数段例えば上下３段となって取り付けられる。
【００５９】
以上説明したように、本実施形態においては、複数のアダプタ取付枠１に実装された各アダプタＱに接続されているプラグＲの全てのケーブルＫの曲げ位置を適宜変えつつ結束バンドＶで束ねてからパネル本体１の両端部側で保持され、全てのケーブルＫを束ねられた状態のままで後方へ向けて引き出し可能にする。これによりパネル本体１の後部側においてケーブルＫ同士が乱雑に交叉して互いに絡まってしまうのを未然に防止することができる。また、ホルダ駒部材１２をネジ止め固定する際に当該ホルダ駒部材１２がタップ板１１上で回転してしまうことでケーブルＫ自体に過度な張力や屈曲を生じてしまうのを未然に防止できるとともに、ケーブルＫのセット作業を効率的に行うことができる。
【符号の説明】
【００６０】
Ｐ              パッチパネル
Ｑ              アダプタ
Ｒ              プラグ
Ｋ              ケーブル
Ｎ              ネジ
Ｌ              ラック
ＬＡ            被固定部位
１              アダプタ取付枠
２              パネル本体
２Ａ            支持板部
２Ｂ            取付用長孔
３              窓孔
４              パネル側フレーム
５              後部支持板
６              パネル側ケーブル保持部
７              取付枠側フレーム
８              取付枠側ケーブル保持部
９              係架溝
１０            スライド調整用長孔
１０Ａ          係止溝
１１            タップ板
１２            ホルダ駒部材
１３            回転防止突起
１３ａ          下方突出部
１４            ネジ挿通孔
１５ａ、１５ｂ  ケーブル押圧溝
１６            切欠部
１７            被係止部
１８            環状突起
１０１          アダプタ取付枠
１０２          パネル本体
１０４          サイドフレーム
１０５          タップ板
１０６          ホルダ駒部材
【図１】
2019117299.tif 000003
【図２】
2019117299.tif 000004
【図３】
2019117299.tif 000005
【図４】
2019117299.tif 000006
【図５】
2019117299.tif 000007
【図６】
2019117299.tif 000008
【図７】
2019117299.tif 000009
【図８】
2019117299.tif 000010
【図９】
2019117299.tif 000011
【図１０】
2019117299.tif 000012
【図１１】
2019117299.tif 000013
【図１２】
2019117299.tif 000014
【図１３】
2019117299.tif 000015
【図１４】
2019117299.tif 000016
【図１５】
2019117299.tif 000017
【図１６】
2019117299.tif 000018